(57)【要約】【課題】ブラックバスやブルーギルを卵又は仔魚の段階で捕集することで、淡水魚類の生態系を正常化するのに有効な方法及び装置を提供する。【解決手段】本発明の捕集方法は、産卵場所と思われる湖底や川底に、先端部分が実質的に漏斗状になった吸引器１を位置させて吸引を行い、砂と水と一緒に卵又は仔魚を吸い上げて卵又は仔魚を水中から取り出す工程と、吸い上げた砂と水と卵又は仔魚を、卵の直径又は仔魚よりも小さな開口を有する分離面４を有した分離器５上に流し出し、砂と水を落下させ、分離面に残った卵又は仔魚を回収する工程とを含む。この際、分離面としては、捕集される卵の直径又は仔魚よりも小さな幅のスリット開孔７が互いに平行に複数個設けられ、スリット開孔の延びる一方向に斜め下方に傾斜したものが好ましく、このような構造の場合には、卵又は仔魚だけが分離面上を滑り落ち、分離・回収が容易に行える。【選択図】　図１
2004073141.tif 000002
【特許請求の範囲】
【請求項１】
生態系に影響を及ぼし得るブラックバスやブルーギルなどの魚の卵又は仔魚を捕集するための方法であって、当該方法が、
工程Ａ：産卵場所と思われる湖底や川底に、先端部分が実質的に漏斗状になった吸引器を位置させて吸引を行い、砂と水と一緒に卵又は仔魚を吸い上げることによって卵又は仔魚を水中から取り出す工程、及び
工程Ｂ：上記工程Ａにて吸い上げた砂と水と卵又は仔魚を、卵の直径又は仔魚よりも小さな開口を有する分離面を有した分離器上に流し出し、砂と水を落下させ、上記分離面に残った卵又は仔魚を回収する工程
を含むことを特徴とする、魚の卵又は仔魚の捕集方法。
【請求項２】
生態系に影響を及ぼし得るブラックバスやブルーギルなどの魚の卵又は仔魚を捕集する際に使用する装置であって、当該装置が、先端部分が実質的に漏斗状になった吸引器と、上記吸引器と吸引ホースによって接続され、産卵場所と思われる湖底や川底の砂と水と一緒に卵又は仔魚を吸い上げ可能な能力を有した吸引ポンプと、上記吸引ポンプを作動させることにより吸い上げた砂と水と卵又は仔魚を、捕集される卵の直径又は仔魚よりも小さな開口を有した分離面上に流し出すことによって、砂と水が落下し、卵又は仔魚だけが上記分離面上に残るようになった構造の分離器とを具備することを特徴とする、魚の卵又は仔魚の捕集装置。
【請求項３】
上記吸引器の内部に、湖底や川底の小石が吸引されないように、捕集される卵の直径又は仔魚よりも大きな開口を有したメッシュスクリーンが少なくとも１枚設けられており、上記分離器の分離面には、捕集される卵の直径又は仔魚よりも小さな幅のスリット開孔が互いに平行に複数個設けられ、上記分離面が前記スリット開孔の延びる一方向に斜め下方に傾斜していることによって、湖底や川底から吸い上げた砂と水と卵又は仔魚を上記分離面上に流し出した際に、卵又は仔魚が当該分離面上を滑り落ちるようになっており、傾斜した分離面の落下側には卵又は仔魚を回収するための回収部が設置されていることを特徴とする請求項２に記載の、魚の卵又は仔魚の捕集装置。
【発明の詳細な説明】
【０００１】
【発明の属する技術分野】
本発明は、河川や湖沼における淡水魚の生態系を守るために、生態系に影響を及ぼし得るブラックバスやブルーギルなどの外来魚の卵を捕集するための方法に関するものである。又、本発明は、このような方法に使用するのに適した装置に関するものでもある。
【０００２】
【従来の技術】
近年、河川や湖沼における淡水魚の生態系の急変が社会問題化してきた。これは主としてブラックバス（学名：オオクチバス、コクチバス）、ブルーギルといった外来魚が在来魚を食し、増殖することに起因している。
そこで、最近では、ブラックバスを捕獲する方法として、長野県水産試験場だより２１号（２００２年３月発行）に、コンパクトディスクの光の乱反射を利用することで、ブラックバスの雄親が効率的に捕獲できることが報告されているが、このような方法は、産み付けられた卵を守っている雄親に対してしか効果がないという問題点があり、生態系に影響を及ぼし得るブラックバスやブルーギルの数を減らすのに有効な方法が要望されているのが現状である。
【０００３】
【発明が解決しようとする課題】
本発明は、上述の問題点を解決し、生態系に影響を及ぼし得るブラックバスやブルーギルを卵又は仔魚の段階で捕捉することにより、これらの数を減らし、淡水魚類の生態系を正常化するのに有効な方法を提供することを課題とする。又、本発明の課題は、このような方法を実施するのに適した構造の装置を提供することでもある。
【０００４】
本発明者等は、ブラックバスやブルーギルが産卵場所の近くで卵を守る性質があることを利用して、産卵場所と思われる湖底や川底部分の砂と水と一緒に卵又は仔魚を吸い上げて水中から取り出し、砂と水を分離することにより、卵と仔魚を河川や湖沼から効率良く回収できることを見い出して本発明を完成した。
【０００５】
【課題を解決するための手段】
即ち、本発明の方法は、生態系に影響を及ぼし得るブラックバスやブルーギルなどの魚の卵又は仔魚を捕集するための方法であって、当該方法が、
工程Ａ：産卵場所と思われる湖底や川底に、先端部分が実質的に漏斗状になった吸引器を位置させて吸引を行い、砂と水と一緒に卵又は仔魚を吸い上げることによって卵又は仔魚を水中から取り出す工程、及び
工程Ｂ：上記工程Ａにて吸い上げた砂と水と卵又は仔魚を、卵の直径又は仔魚よりも小さな開口を有する分離面を有した分離器上に流し出し、砂と水を落下させ、上記分離面に残った卵又は仔魚を回収する工程
を含むことを特徴とする。
【０００６】
又、生態系に影響を及ぼし得るブラックバスやブルーギルなどの魚の卵又は仔魚を捕集する際に使用する本発明の捕集装置は、先端部分が実質的に漏斗状になった吸引器と、上記吸引器と吸引ホースによって接続され、産卵場所と思われる湖底や川底の砂と水と一緒に卵又は仔魚を吸い上げ可能な能力を有した吸引ポンプと、上記吸引ポンプを作動させることにより吸い上げた砂と水と卵又は仔魚を、捕集される卵の直径又は仔魚よりも小さな開口を有した分離面上に流し出すことによって、砂と水が落下し、卵又は仔魚だけが上記分離面上に残るようになった構造の分離器とを具備することを特徴とする。
【０００７】
更に、本発明の捕集装置は、上述の特徴を有した装置において、上記吸引器の内部に、湖底や川底の小石が吸引されないように、捕集される卵の直径又は仔魚よりも大きな開口を有したメッシュスクリーンが少なくとも１枚設けられており、上記分離器の分離面には、捕集される卵の直径又は仔魚よりも小さな幅のスリット開孔が互いに平行に複数個設けられ、上記分離面が前記スリット開孔の延びる一方向に斜め下方に傾斜していることによって、湖底や川底から吸い上げた砂と水と卵又は仔魚を上記分離面上に流し出した際に、卵又は仔魚が当該分離面上を滑り落ちるようになっており、傾斜した分離面の落下側には卵又は仔魚を回収するための回収部が設置されていることを特徴とするものである。
【０００８】
【発明の実施の形態】
以下、本発明の具体例として、図１に、本発明の捕集装置の好ましい一例を用いて湖のブラックバスの卵又は仔魚を捕捉する際の方法を示して本発明の方法並びに装置を説明するが、本発明はこれに限定されるものではない。
本発明の方法では、まず最初に工程Ａにおいて、産卵場所と思われる湖底や川底に、先端部分が実質的に漏斗状になった吸引器を位置させる必要があるが、このような産卵場所を探す際には、ブラックバスの産卵習性がうまく利用できる。即ち、ブラックバスやブルーギルなどの外来魚は産卵期になると、湖底や流れの緩やかな川の底（水深４０〜２００ｃｍ）に、直径２０〜１００ｃｍぐらいほぼ円形に雄が尾ヒレで浅い穴を堀り、そこへ雌が雄の助けを得て直径１．２ｍｍ〜１．８ｍｍの卵を１巣当たり数百粒〜１万粒ほど産み、その場所に雄だけが残り、卵が孵化して稚魚が巣を離れるまで外敵から守る習性があるので、巣を守っている雄のいる箇所を水中照明器等によって見つけることで産卵場所を知ることができる。尚、ブルーギル等の卵は、通常１週間〜１０日で孵化し、その後、仔魚（孵化したが、まだ卵の養分で生育する段階）の状態で１週間〜１０日を産卵場所の近くで過ごすので、親は、この間、産卵場所の近くを警戒しており、本発明の採集方法を用いた場合には卵だけでなく仔魚も採集することができる。これに対して、鮒、タナゴ、ハヤなどの在来魚は、藻の葉などに産卵するので捕捉の場所は区別でき、鮎も生息域がもう少し深いところで、成魚は川を遡上して川で産卵するので、本発明の採取方法は在来魚への影響はないものである。
【０００９】
そして、本発明では、図１に示されるようにして、産卵場所と思われる湖底や川底部分に吸引器１を沈めて産卵場所に漏斗状開口を位置させ、この吸引器１に吸引ホース２を介して接続された吸引ポンプ３を作動させることによって、湖底や川底の砂と水と一緒に卵又は仔魚を吸引し、これらを水中から取り出す。この時、砂その他の異物も吸い上げられ、吸引中に落下分離されるが、本発明の捕集装置における吸引器１には、図１の点線で示されるようにして、湖底や川底にある大きな異物（例えば小石等）が吸引されないように、捕集される卵の直径又は仔魚よりも大きな開口を有したメッシュスクリーン６が少なくとも１枚設けられていることが好ましく、メッシュ数を異なる複数のメッシュスクリーン６を間隔を空けて設ける場合には、吸引ポンプ３側に目の細かいものを配置させる。図１には、３枚のメッシュスクリーン６を間隔を空けて設けた場合が示されているが、本発明はこれに限定されるものではない。一般的に、本発明の捕集装置における吸引器１の末端は直径２０〜３０ｃｍ程度の漏斗状になっており、入口から吸引ホース２の接続部までの部分に網目径５ｍｍ〜１ｃｍくらいのメッシュスクリーンが互いに平行に配置される。又、本発明の捕集装置における吸引ポンプ３については、湖底や川底の砂と水と一緒に卵又は仔魚を吸い上げ可能な能力を有しているものであれば良く、市販のものが利用できるが、一般的には水を吸い上げるスピードが０．５ｍ３　／分くらいのものが好適であり、吸引ホース２の内径は３〜４ｃｍくらいのものが好ましい。尚、本発明の捕集装置は、一定時間吸引を行った後にメッシュスクリーン６に詰まった異物を落とすことができるように、水が逆噴射、即ち、一定時間吸引後に吸引器１から外側に向かって水が噴射可能な構造とすることが好ましい。
【００１０】
次に、本発明の捕集方法における工程Ｂでは、前記工程Ａにて吸い上げた砂と水と卵又は仔魚を、捕集される卵の直径又は仔魚よりも小さな開口を有する分離面を有した分離器上に流し出して砂と水を落下させ、分離面上に残った卵又は仔魚を回収する。このような工程Ｂは通常、図１に示されるようにして船上で行われ、落下した砂と水は湖又は川に戻される。この工程Ｂにて使用される分離器５は、捕集される卵の直径又は仔魚よりも小さな開口の分離面４を有し、捕集すべき卵又は仔魚だけが分離面４上に残るようになった構造を有していれば良く、図１に例示した分離器５にあっては、複数の棒状体が一定間隔で同一表面上に配列されることにより、捕集される卵の直径又は仔魚よりも小さな幅のスリット開孔７が互いに平行に複数個設けられた分離面４が形成されており、この分離面４がスリット開孔７の延びる一方向に斜め下方に傾斜していることで、湖底や川底から吸い上げた砂と水と卵又は仔魚を分離面４上に流し出した際に、卵又は仔魚が傾斜した分離面４上をスリット開孔７に沿って滑り落ちるようになっており、分離面４の落下側には卵又は仔魚を回収するための回収部８（卵／仔魚回収箱）が設置されている。
図１に示されている分離器５の分離面４は、一般的には巾５０〜８０ｃｍ程度、長さ１．５〜２ｍ程度で、傾斜角度４５〜７０°の状態に配列されたスリット開孔７を有し、スリット巾は０．５〜１ｍｍ程度であり、このような構造の場合には、分離面４上に、湖底や川底から吸い上げた砂と水と卵又は仔魚を流し出した際に、砂と水は分離面４の下方に落下し、卵（直径１．２ｍｍ〜１．８ｍｍ）又は仔魚だけが分離面４上を斜めに滑り落ちて回収部８内に回収され、卵又は仔魚の分離・回収が容易に行える。
但し、本発明では、分離器５の分離面４の構造が図１に例示したものに限定されるものではなく、分離面４は必ずしも船底面に対して傾斜している必要はなく、又、分離面４の構造についても、卵が落下しない程度の網目を有したメッシュスクリーンであっても良い。
尚、本発明では、吸引器１により吸い上げた砂、水、卵などから比較的大きな砂を分離するための砂分離器（槽）を、分離面４の手前に設けても良い。
【００１１】
上記の装置を用いる本発明の方法においては、ブラックバスやブルーギルなどの外来魚の卵又は仔魚を水や砂から分離収拾し、数量その他を調査研究することができるという利点がある。
尚、上述の方法とは別に、ブラックバスやブルーギルなどの外来魚の卵又は仔魚の生存を絶つ方法として、図２に示されるように、産卵床に直接水中ポンプ装置９を挿入して砂と共に卵、仔魚を吸い上げ、少なくとも吸い上げ地点から１ｍ以上離れた水中へ直ちに放出する方法や、図３に示されるように、産卵床に直接扇風機状（プロペラ状）の回転羽根１０を挿入して回転させ、攪拌を行い、卵、仔魚を砂と共に周囲に散逸させる方法も有効であり、これら２つの方法はいずれも、卵や仔魚を水や砂と共に吸い上げた後に分離収拾する方法に比べて駆除効率の点では若干劣るが、より簡単に実施できるという利点を有しており、この場合には、卵や仔魚が親雄魚の保護を受けることができない状況となるために卵や仔魚の生存はほとんど不可能となる。
【００１２】
【実施例】
滋賀県琵琶湖において、ブラックバスの産卵期（通常５月上旬〜７月上旬）とされる時期に、産み付けられた卵を守っている雄親がいる場所を探し、図１に示される構成の本発明の捕集装置を用い、吸引ポンプを作動させて、産卵場所近辺約直径１００ｃｍの円形範囲内の部分の砂と水を一緒に船上に吸い上げ、０．５ｍｍ幅のスリット開孔を有する分離器の傾斜分離面上に流し出したところ、ほぼ１巣に相当すると思われる数のブラックバスの卵を回収することができた。
【００１３】
【発明の効果】
本発明の捕集方法を用いた場合には、ブラックバスやブルーギルが産卵場所の近くで卵を守る性質があることを利用することで、比較的簡単に産卵場所を見つけることができ、この部分の砂と水を吸引器で一緒に吸い上げて水中から取り出し、砂と水を分離することにより、ブラックバスやブルーギルの卵と仔魚を河川や湖沼から効率良く回収できる。又、本発明の捕集装置は、このような方法を実施するのに非常に好適である。
本発明の捕集方法は、生態系に影響を及ぼし得るブラックバスやブルーギルを卵又は仔魚の段階で捕集することができるため、ブラックバスやブルーギルの数を減らし、淡水魚類の生態系を正常化するのに有効な方法であると言える。
【図面の簡単な説明】
【図１】本発明の捕集装置の好ましい一例を用いて湖のブラックバスの卵又は仔魚を捕捉する際の方法を示す図である。
【図２】産卵床に直接水中ポンプ装置９を挿入して砂と共に卵、仔魚を吸い上げ、吸い上げ地点から離れた水中へ直ちに放出する方法の実施状態を示す図である。
【図３】産卵床に直接扇風機状の回転羽根１０を挿入して回転させ、攪拌を行い、卵、仔魚を砂と共に周囲に散逸させる方法の実施状態を示す図である。
【符号の説明】
１　吸引器
２　吸引ホース
３　吸引ポンプ
４　分離面
５　分離器
６　メッシュスクリーン
７　スリット開孔
８　回収部
９　水中ポンプ装置
１０　回転羽根
【図１】
2004073141.tif 000003
【図２】
2004073141.tif 000004
【図３】
2004073141.tif 000005